(57)【要約】  入れ子式スコープのためのタレットであって、該タレットは、ノブ（２１０）と、１つまたは２つのトラック（２４２、２５０）を備えたリング（２４０）と、を含み、前記１つまたは２つのトラックは、前記リング（２４０）の頂部および／または底部上に位置し、ベースをさらに含み、前記ノブまたはベースの少なくとも１つは、前記リングの前記１つまたは２つのトラックの１つで滑走するピン（２３０）を有する、タレット。前記トラックは、前記ピンのための制限ストップとして作用する少なくとも１つの終端を有する。１つのトラックで滑走する１つのピンの配置は、ほとんど３６０°の自由な回転を可能にするゼロストップを実現する。２つのトラックで滑走する２つのピンの配置は、それぞれ、ほとんど７２０°の自由な回転を可能にするゼロストップを実現する。システムは、対応するピンを有する追加のリングのトラックでさらに拡張されることができる。【選択図】図２
2019508659.tif 000002
【特許請求の範囲】
【請求項１】
タレットであって、該タレットは、(a)ノブと、(b)１つまたは２つのトラックを備えたリングと、を含み、前記１つまたは２つのトラックは、前記リングの頂部および／または底部上に位置し、(c)ベースをさらに含み、前記ノブまたはベースの少なくとも１つは、前記リングの前記１つまたは２つのトラック内に挿入されるピンを有する、タレット。
【請求項２】
前記リングは、該リングの頂部側上に位置するトラックを有する、請求項１に記載のタレット。
【請求項３】
前記ノブは、前記リングの頂部側上に位置する前記トラック内に挿入される、底部に位置するピンを有する、請求項２に記載のタレット。
【請求項４】
前記ベースは、該ベースの頂部上にトラックをさらに備える、請求項３に記載のタレット。
【請求項５】
前記リングは、前記ベースの頂部上の前記トラックに載る、前記リング上の底部上のピンを有する、請求項４に記載のタレット。
【請求項６】
前記トラックは、同心状カムトラックである、請求項５に記載のタレット。
【請求項７】
前記トラックは、終端を有する、請求項５に記載のタレット。
【請求項８】
前記リングは、頂部および底部にトラックを有する、請求項１に記載のタレット。
【請求項９】
前記ノブは、前記リングの頂部上の前記トラックに乗る、該ノブの底部に位置するピンを有し、前記ベースは、前記リングの底部の前記トラックに乗る、該ベースの頂部に位置するピンを有する、請求項８に記載のタレット。
【請求項１０】
前記トラックは、同心状カムトラックである、請求項９に記載のタレット。
【請求項１１】
前記同心状カムトラックは、最大の回転を可能にするようにオフセットされている、請求項１０に記載のタレット。
【請求項１２】
前記リングは、該リングの底部上に位置するピンを有する、請求項１に記載のタレット。
【請求項１３】
前記ベースは、前記リングの底部上に位置する前記トラックに載る、頂部に位置するピンを有する、請求項１２に記載のタレット。
【請求項１４】
前記ノブは、該ノブの底部にトラックをさらに備える、請求項１３に記載のタレット。
【請求項１５】
前記リングは、前記ノブの底部上の前記トラックに乗る、頂部上のピンをさらに備える、請求項１４に記載のタレット。
【請求項１６】
前記トラックは、同心状カムトラックである、請求項１５に記載のタレット。
【請求項１７】
前記トラックは、終端を有する、請求項１５に記載のタレット。
【請求項１８】
タレットであって、該タレットは、
底部に結合されたピンを備えたノブと、
頂部にトラックまたは溝を備えたベースと、
頂部にトラックまたは溝、および、底部にピンを備えたリングと、を含み、前記ノブのピンは、前記リングの頂部上の前記トラックまたは溝に載り、前記リングの前記底部上のピンは、前記ベースの頂部上の前記トラックまたは溝に載る、タレット。
【請求項１９】
ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、(a)ノブと、(b)１つまたは２つのカムトラックを備えたリングと、を含み、前記１つまたは２つのカムトラックは、前記リングの頂部および／または底部上に位置し、(c)ベースをさらに含み、前記ノブまたは前記ベースの少なくとも１つは、前記リングの前記１つまたは２つのトラック内に挿入されるピンを有する、ライフルスコープ。
【請求項２０】
前記リングは、頂部上にトラックを有し、前記ノブは、前記リングの頂部上の前記トラックに載る、底部に位置するピンを有する、請求項１９に記載のライフルスコープ。
【請求項２１】
前記ベースは、頂部の内周上にトラックをさらに備える、請求項２０に記載のライフルスコープ。
【請求項２２】
前記ベースの頂部の前記トラックに乗る、前記リングの底部上のピンをさらに備える、請求項２１に記載のライフルスコープ。
【発明の詳細な説明】
【技術分野】
【０００１】
関連出願に対する相互参照
本願は、出典を明示することによってその開示内容全体が本願の一部とされる２０１６年１月２７日に出願された米国仮特許出願第62/287,665号からの優先権を主張する。
【０００２】
分野
本開示は、銃器用タレットに関する。１つの実施形態では、本開示は、ゼロストップを備えたタレットに関する。
【背景技術】
【０００３】
長距離射撃は、直近の十年で米国および世界中でますます一般的になっている。長距離射撃の形態には、長距離狩猟、目標射撃、競技、法執行、および、軍事的適用がある。長距離射撃がより一般的になっているので、射手は、より射撃に熟練するようになり、射撃産業全体が前進してきた。
【０００４】
過去十年に亘る長距離射撃における１つの前進は、弾道技術である。射撃が前進するにつれて、射手は、長距離の弾丸の真の打撃点のために自身の十字線を正確に補償する方法を有することを望むようになってきた。これにより、使用者は、軌道（弾丸落下）補償のために目標を「延長して保持する」必要なく、十字線を自己の意図した打撃点上に直接置くことが可能になる。十字線補償方法は、通常、タレットシステムより達成される。
【０００５】
タレットは、ライフルスコープ本体の外側中央部分上の１つまたはそれ以上のダイアルの１つである。タレットは、割分でマーキングされ、打撃点変更のために上昇（仰角）および偏流を調節するのに使用される。在来のタレットは、いくつの調節クリックがタレット上にダイアルインされているか、または、角度的上昇、または、一定のカートリッジのための補償距離を指示するマークングをタレット上に有する。１クリックは、スコープの偏流または上昇タレット上の１つの触覚調節割分である。
【０００６】
タレットは、通常、射手がタレットをダイアルするときに「０」で始まり、増加するように各目盛りにマーキングされている。しばしば、常にでないが、タレットは、１回転より多く回転することができる。一般的なタレットの例は、タレットの１回転で、全体で６０位置（またはクリックデテント）のために1／４MOA割分で目盛り付けされた１５調節MOAを備えるタレットであるだろう。各1／４MOA割分のデテントが、１つのデテントから次のデテントにダイアルするときに人が通常共に聞き、感じることができるクリッカ(clicker)である。タレットが、１回転で１５移動MOAを有する場合には、タレット上での代表的なマーキングスキームは、ハッシュマークで各フルMOA数を示すことであるだろうが、各中間１／４MOAマーキングでは、射手は、数のないハッシュマークを有するだけであろう。その結果、使用者は、タレット上に０から１４が振られているのを見、１５MOAは、実際には、まる１回転でゼロに戻るであろう。
【０００７】
射手が、タレットに１５MOAよりも多くダイアルする必要がある場合には、不利益が生じる。この場合には、使用者は、１回転より多く回転させなければならず、いくつのMAOをダイアルしなければならないかを決定するための計算を実行しなければならない。例えば、２回転時、タレットを数５で停止させる場合には、射手は、２０MOA（１５MOA＋５MOA＝２０MOA）にすることになるだろう。
【０００８】
大変長距離の射撃のために、射手は、弾丸軌道のために十字線を適当に調節するために、タレットに３０MOA以上の補償をダイアルする必要があり得る。タレットで十分な移動を与える１つの方法は、タレットの１回転で３０MOA以上を備えるタレットを作ることであるだろう。もう１つの方法は、タレットを１回転よりも多く回転させることであるだろう。当業界では、タレット上で機械的に全「移動」をしきる前に、３または４を超える回転をするタレットを見ることは一般的ではない。
【０００９】
１回転で３０移動MOAを有する利点は、射手が１回転よりも多い回転を必要とする見込みが少ないことであり、したがって、数だけを見ればよく、いかなる計算もする必要なくダイアルした位置を知ることができることである。１回転で３０MOAを有する不利益は、タレットの一定の径に対して、１／４MOA目盛りが互いにより近い間隔を隔てていることである。かかる近接した目盛りは、使用者が、各個々のクリックを感じることを困難にし、誤って１クリックを「スキップ」してしまうことがより起こりがちになることである。
【００１０】
クリックをよりよく感じることができる唯一の方法は、機械的デテントがより大きくなくように、タレットの径をより大きくすることである。しかしながら、多くのタレットにとって、これは、不利である。なぜならば、目的は、スコープを、小さく、ストリームライン化され、かつ、軽量に保つことであるからである。多くの狩猟用スコープは、理想的なタレット寸法、クリック感、および、回転あたり移動を有し、これは、１５MOAあたりが、通常、１回転あたりの最良のタレット調節量であることを意味する。
【００１１】
加えて、新しいライフルスコープをライフル上に設置するときに、ライフルを「ゼロ化する」ことが一般的である。さらに、多くのスマートホンアプリおよび他の装置が、一定の距離および環境のために弾道補償を計算するのを助けることができ、これは、タレットにダイアルされるであろう。１０００ヤード射撃で３０８口径は、弾丸の軌道を補償すべく、ライフルスコープにおいて十字線を正しいスポットに置くために３０MOA補償がタレットにダイアルされる必要があり得る。長距離目標めがけて射撃した後に、射手は、通常、タレットを「ゼロ」位置に下降するようにダイアルして戻すであろう。
【００１２】
理解すべき重要なもう１つのファクタは、多くの状況で、射手は、長距離の目標めがけて射撃をしているが、次いで、もう１つの「機会目標」がより近い距離に突然出現することがあり得る。多くの「ストレスに満ちた」状況で、人間は細かい運動技能能力を失い、多くは、粗い運動技能運動を保持する。
【００１３】
上記の理由により、「ゼロストップ」タレットを有することは、大きな利点である。かくして、これらの関心に対処することができるゼロストップタレットに対する大きなニーズがある。
【発明の概要】
【００１４】
１つの実施形態では、本開示は、タレットに関する。もう１つの実施形態では、本開示は、ゼロストップを備えたタレットに関する。さらにもう１つの実施形態では、本開示は、大変単純であり、限られた数の部品を有し、使用が簡単であり、かつ、使用者によって設定され、規定されたゼロ位置での確実なゼロストップを提供し、コンパクトで軽量であるタレットのためのゼロストップに関する。
【００１５】
本開示は、銃器のタレットのためのゼロ位置に関する。１つの実施形態では、銃器は、ライフルスコープである。１つの実施形態では、ライフルスコープは、超軽量狩猟用ライフルスコープである。１つの実施形態では、本開示は、非並進タレットライフルスコープのためのゼロストップに関する。
【００１６】
１つの実施形態では、本願で開示されているタレットゼロストップは、狩猟、競技射撃、目標射撃、法執行、および、軍事射撃状況のためのライフルスコープにおいて使用されることができる。
【００１７】
１つの実施形態では、本開示は、装置であって、該装置は、(a)ノブと、(b)１つまたは２つのトラックを備えたリングと、を含み、前記１つまたは２つのトラックは、前記リングの頂部および／または底部上に位置し、(c)ベースをさらに含み、前記ノブまたはベースの少なくとも１つは、前記リングの前記１つまたはそれ以上のトラック内に挿入されるピンを有する、装置に関する。１つの実施形態では、装置は、タレット組立体である。
【００１８】
１つの実施形態では、本開示は、タレットであって、該タレットは、底部に結合されたピンを備えたノブと、頂部に結合されたピンを備えたベースと、各面に終端を備えた同心状カムトラックを備えたゼロストップリングと、を含み、前記ベースピンは、前記ゼロストップリングの頂部上の前記同心状カムトラックに乗り、前記ノブピンは、前記ゼロストップリングの頂部上の前記同心状カムトラックに乗る、タレットに関する。
【００１９】
もう１つの実施形態では、本開示は、装置であって、該装置は、底部側に結合されたピンを備えたノブと、頂部側上にトラックまたは溝を備えたベースと、頂部側上にトラックまたは溝、および、底部側上にピンを備えたリングと、を含み、前記ノブピンは、前記リングの頂部側上の前記トラックまたは溝に載り、前記リングの底部側上の前記ピンは、前記ベースの頂部側上の前記トラックまたは溝の乗る、装置に関する。
【００２０】
さらにもう１つの実施形態では、本開示は、タレットであって、該タレットは、底部側に結合されたトラックまたは溝を備えたノブと、頂部側上にピンを備えたベースと、頂部側上にピン、および、底部側上にトラックまたは溝を備えたリングと、を含み、前記リングピンは、前記ノブの頂部側上の前記トラックまたは溝に載り、前記ベースピンは、前記リングの底部側上の前記トラックまたは溝に載る、タレットに関する。
【００２１】
もう１つの実施形態では、本開示は、ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、(a)ノブと、(b)１つまたは２つのカムトラックを備えたリングと、を含み、前記１つまたは２つのカムトラックは、前記リングの頂部および／または底部上に位置し、(c)ベースをさらに含み、前記少なくともノブまたは前記ベースは、前記リングの前記１つまたは２つのトラック内に挿入されるピンを有する、ライフルスコープに関する。
【００２２】
さらにもう１つの実施形態では、本開示は、ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、底部側に結合されたピンを備えたノブと、頂部側上にトラックまたは溝を備えたベースと、頂部側上にトラックまたは溝、および、底部側上にピンを備えたリングと、を含み、前記ノブピンは、前記リングの頂部側上の前記トラックまたは溝に載り、前記リングの底部側上のピンは、前記ベースの頂部側上の前記トラックまたは溝に載る、ライフルスコープに関する。
【００２３】
さらにもう１つの実施形態では、本開示は、ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、底部側に結合されたトラックまたは溝を備えたノブと、頂部側上にピンを備えたベースと、頂部側上にピン、および、底部側上にトラックまたは溝を備えたリングと、を含み、前記リングピンは、前記ノブの底部側上の前記トラックまたは溝に載り、前記ベースピンは、前記リングの底部側上の前記トラックまたは溝に載る、ライフルスコープに関する。
【００２４】
１つの実施形態では、タレットベースは、トラックまたは溝を有するのがよく、ゼロストップリングは、タレットベースの前記トラックまたは溝内に挿入される固定されたピンを有するのがよい。
【００２５】
１つの実施形態では、タレットノブは、トラックまたは溝を有するのがよく、ゼロストップリングは、タレットノブの前記トラックまたは溝内に挿入される固定されたピンを有するのがよい。
【００２６】
１つの実施形態では、本開示は、ライフルスコープタレットであって、射手の近い範囲のゼロ位置でのタレットのゼロ位置を与えるライフルスコープタレットに関する。これにより、射手は、自己のゼロ位置に迅速にダイアルを戻すことが可能になる。これにより、使用者は、感覚で自己のゼロ位置を見つけることが可能になり、これは、ほとんどの射撃状況で有利である。１つの実施形態では、射手は、感覚だけで自己のゼロ位置を見つけることができる。
【００２７】
本願で開示されているゼロストップタレットの１つの利点は、ゼロストップが、非並進タレットと共に使用されることができることである。
【００２８】
本願で開示されているタレットの１つの利点は、１回転よりも多い回転を可能にすることである。
【００２９】
本願で開示されているタレットの１つの利点は、タレットが、直線的なカムトラックに依存しないことである。
【００３０】
本願で開示されているタレットの１つの利点は、タレットが、カムトラック内を移動する「ウエディングケーキ」形ピンに依存しないことである。
【００３１】
本願で開示されているゼロストップタレットの１つの利点は、タレットの単純性である。
【００３２】
本願で開示されているゼロストップタレットの１つの利点は、実質的な機械要素を必要とせず、それによって、本願で開示されているゼロストップタレットは、より軽量で、より使用が簡単で、より容易な製造プロトコールをもたらし、かつ、安価になることである。
【００３３】
本開示の実施形態が、添付の図面を参照して開示されているが、例示目的にすぎない。本開示は、その適用が図面に示されている構成要素の構造および構成の詳細に限定されない。本開示は、他の実施形態を可能にし、あるいは、他の仕方で実施されることができる。同じ参照番号は、同じ構成要素を指示するために使用されている。
【図面の簡単な説明】
【００３４】
【図１Ａ】スコープの種々のそれぞれの部品を示している。
【図１Ｂ】本開示の実施形態によるスコープの形態の例示的な見るための光学系を示している。
【図２】本願で開示されているタレットゼロストップの代表的な分解図である。終端を有するカムトラックを備えたゼロストップリングが示されている。タレットノブおよびタレットノブピンが示されている。タレットベースも示されている。
【図３】本願で開示されているタレットの分解平面斜視図である。タレットベースピンが、終端を備えた同心状カムトラックと共に見えている。
【図４】本願で開示されているタレットのもう１つの分解横断面図である。
【図５】本願で開示されているタレットの代表的な切取図である。ゼロストップの頂部トラックに載置しているノブピンが示されている。
【図６】本願で開示されているタレットの代表的な組立図である。
【図７】本願で開示されているタレットの代表的な分解図である。
【図８】本願で開示されているタレットの代表的な図１である。ピンが、タレットノブに結合されている。リングは、頂部側面上のトラックまたは溝、および、リングの下側に結合されたピンを有する。タレットの頂部部分は、リングの下側または底部に結合されたピンを受容する溝を有する。
【図９】ピンまたは同様な構造を挿入するためのスロットを備えたリングの斜視図である。
【図１０】リングの一方の側に結合されたピンを備えたリングの斜視図である。ピンは、リングのいずれの側に取り付けられていてもよい。
【発明を実施するための形態】
【００３５】
本発明の実施形態を詳細に説明する前に、本発明は、その適用が、以下の説明に示され、または、図面に示されている構造の詳細および構成要素の構成に制限されないことを理解すべきである。本発明は、他の実施形態が可能であり、種々の仕方で実施することができる。本願で使用されている句法および用語法は、説明の目的のためのものであり、制限的であるとみなされるべきでないことも理解すべきである。
【００３６】
本開示における数値範囲は、近似的なものであり、かくして、他の仕方で示されなければ、その範囲の外側の値を含み得る。数値範囲は、より低い値およびより高い値、より高い値とより低い値との間に少なくとも２つの単位の分離がある場合には、１つの単位の割分(increments)による値を含む、すべての数値形態を含む。例として、例えば、分子量、メルトインデックス、温度等のような組成的、物理的、または他の特性が１００から１０００までである場合には、１００、１０１、１０２のようなすべての値、並びに、１００から１４４まで、１５５から１７０まで、１９７から２００まで等の副範囲は、明示的に数値化される。１より小さい値、または、１より大きい小数を含む範囲のために、１つの単位は、０．０００１、０．００１、０．０１、または、０．１が適当であると考えられる。１０よりも小さい１桁の数字を含む範囲（例えば、１から５まで）のために、１つの単位は、代表的には、０．１であると考えられる。これらは、特定的に意図されたものの例にすぎず、数値化される最も低い値と最も高い値の間の数値のすべての可能な組み合わせが、本開示に明示的に記述されることが考えられ得る。本開示内では、なかんずく、混合物における成分の相対量、種々の温度、および、方法において記述される他のパラメータ範囲のための数値範囲が、提供される。
【００３７】
本願で使用されているように、「弾道術」は、多くのファクタに基づいて弾丸の軌道を大変正確に計算する方法である。
【００３８】
本願で記載されているように、「軌道」は、重力、空気密度、弾丸形状、弾丸重量、銃口速度、銃筒よじり方向、銃筒よじり率、飛行経路の真の方角、銃口の鉛直方向角度、風、および、多くの他の雑多なファクタによって影響される距離に亘る弾丸飛行経路である。
【００３９】
本願で使用されているように、「タレット」は、代表的には、ライフルスコープ上の回転式ダイアルである。通常、上昇タレット、および、偏流タレットがある。上昇タレットは、十字線を鉛直方向に調節し、偏流タレットは、十字線を水平方向に調節する。関連して使用される上昇タレットおよび偏流タレットは、ライフルスコープ十字線を、距離に亘る弾丸軌道を補償する正しい量だけ移動させることができる。
【００４０】
タレットは、代表的には、正確な補償量、ダイアルできるようなデテント割分を有する。タレットデテントは、代表的には、範囲に亘る弾丸の軌道変化量に相関されることができる角度的測定単位であるミニットオブアングル(MOA)またはミリラジアン(MRAD)で目盛り付けされる。MOAおよびMRADはともに使用されることができ、測定距離に対してインチ対センチメートルの差に似ている。
【００４１】
「並進」タレットは、ダイアルされている間にスクリュー軸線に沿って並進する。例えば、上昇タレットは、木材にスクリューインおよびスクリューアウトするスクリューのように、スクリューが木材にスクリューインおよびスクリューアウトする間にスクリューが上昇および下降するように、ダイアルされる間に物理的に上昇および下降するであろう。
【００４２】
「非並進」タレットは、外側からタレットをダイアルするときに、タレットは上昇および下降しないようにみえるが、タレット内でスクリューが上昇および下降しているように、内部で、外側タレットノブを、内側タレットスクリューに結合する機構を有する。この内側タレットスクリューは、機構部品を押しており、したがって、ダイアルする間に、レクチルすなわち十字線は、正しい位置に移動される。非並進タレットは、ダイアルされるときに、上昇および下降しないので、通常、よりコンパクトで、ストリームライン化され、目に嬉しい。
【００４３】
本願で使用されているように、「レクチル」は、１つの実施形態では、弾丸のための十字線目標点である。本願で使用されているように、「レクチル」は、弾丸のための目標パターンである。
【００４４】
本願で使用されているように、ゼロ化は、十字線が意図した弾丸打撃点上に丁度あるようにタレットを調節することを意味し、タレットは、所定範囲、通常１００ヤード（９１．４ｍ）にある「０」位置に調節される。目標が、１００ヤード（９１．４ｍ）を越えているときには、射手は、容易に知られた弾道術計算に基づいて補償するように「０」位置からタレットを「上昇させる(up)」ようにダイアルするであろう。
【００４５】
本願で使用されているように、ゼロストップは、使用者が自身のライフルを１００ヤード（９１．４ｍ）、または、自身の望むいかなる範囲にゼロ化した後に、使用者が自身のタレットの機械的ストップの設定を可能にする機構である。９００ヤード（８２３ｍ）の目標を射撃する場合、目標は、突然１００ヤード（９１．４ｍ）に現われ、使用者は、タレットがゼロストップに当たって機械的に停止するまで「下降する(down)」ように単純にタレットをダイアルすることができる。使用者は、タレット上の数に注意し、元のゼロ位置の微細クリック位置で停止すように試みる心配をする必要はない。これにより、使用者は、感じ、および、微モータ技能でなく粗モータ技能のみに頼ることができる。
【００４６】
１つの実施形態では、本開示は、ゼロストップを備えたタレットに関する。１つの実施形態では、タレットは、頂部部分および底部部分を備えた２部品構造の本体である。１つの実施形態では、タレットは、頂部部分と底部部分の間に位置するゼロストップリングを有する。もう１つの実施形態では、ゼロストップリングは、各面上に、終端を備えた同心状カムトラックを有する。カムトラックの各側の終端は、わずかにオフセットされているのがよい。
【００４７】
図１Ａは、ライフルスコープの種々の部品を示している。図１Ｂは、本開示の実施形態による例示的な見るための光学系１０を示している。さらに詳しくは、ライフルスコープ１０は、エレクタ管(erector tube)である可動光学素子を包囲するスコープ本体３８を有する。スコープ本体３８は、前端４０のより大きな開口部から後端４２のより小さな開口部までテーパする細長い管である。アイピース５６が、スコープ本体の後部に取り付けられており、対物レンズ５４が、スコープ本体の前部に取り付けられている。可動光学素子の中心軸線は、ライフルスコープの光軸４４を構成する。
【００４８】
上昇タレット１２および偏流タレット４８は、スコープ本体３８の外側中央部分の２つのダイアルである。上昇タレット１２および偏流タレット４８は、周囲１４上のしるし２０によって割分的にマーキングされており、打撃点の変更のために可動光学素子の仰角および偏流を調節するために使用される。これらのダイアルは、タレットハウジング５０から突出している。２つのタレットは、上昇タレットの回転軸線４６が偏流タレットの回転軸線５２と垂直であるように配置されている。
【００４９】
可動光学素子は、１またはそれ以上のクリック、タレットを回転させることによって調節される。タレットが回転されるときに、タレットスクリューは、スコープの内外に移動し、エレクタ管を押す。エレクタ管は、タレットスクリューが調節されるときに、タレットスクリューがエレクタ管をタレットスクリューの底面に当てて位置決めするように、ばねによって付勢されている。エレクタ管は、全体像のより小さな視野を提供する。エレクタ管が調節されるときに、レクチルの位置が像に対して変更される。
【００５０】
クリックは、ライフルスコープの偏流タレットまたは上昇タレット上の１レクチル調節割分であり、偏流タレットおよび上昇タレットの各々は、１つのしるし２０に対応している。１クリックは、１００ヤード（９１．４ｍ）でスコープの打撃点を１／４インチ（６．３５ｍｍ）だけ変更することができるが、１クリックは、１／２インチ（１２．７ｍｍ）、OAミリラジアン等のような他の値を取ってもよい。ミニットオブアングル(MOA)は、円の測定単位であり、１００ヤード（９１．４ｍ）で１．０４７２インチ（２７．２２９ｍｍ）である。在来的には、ミニットオブアングル(MOA)は、１００ヤード（９１．４ｍ）で１インチ（２５．４ｍｍ）、２００ヤード（１８２．８ｍ）で２インチ（５０．８ｍｍ）、５００ヤード（４５７ｍ）で５インチ（１２７ｍｍ）、５０ヤード（４５．７）ｍで１／２インチ（１２．７ｍｍ）等と呼ばれる。
【００５１】
１つの実施形態では、本開示は、(1)ピンを備えたタレットノブと、(2)両側に溝またはトラックを備えたゼロストップリングと、(3)ピンを備えたタレットベースと、を含み、ゼロストップリングは、タレットノブとタレットベースの間に位置する、タレットに関する。
【００５２】
１つの実施形態では、本開示は、(1)ピンを備えたタレットノブと、(2)両側に溝またはトラックを備えたゼロストップリングと、(3)ピンを備えたタレットベースと、を含み、ゼロストップリングは、タレットノブとタレットベースの間に位置する、タレット組立体に関する。
【００５３】
図２は、本願に開示されているタレット２００の分解図を示している。さらに詳しくは、タレット２００は、頂部部分２１０および底部部分２２０を備えた２部品構造の円筒形本体である。１つの実施形態では、頂部部分は、タレットノブ２１０である。もう１つの実施形態では、底部部分は、タレットベース２２０である。１つの実施形態では、頂部部分と底部部分は、ねじによって互いに結合されるのがよい。
【００５４】
１つの実施形態では、タレットベース２２０は、中央部分２２２を有するのがよい。もう１つの実施永代では、タレットベースは、スクリューのような装置を挿入するための中空の円形内部を有するのがよい。タレットベース２２０は、底部に装置の挿入のための開口部２２６を有するのがよい。１つの実施形態では、スクリューは、タレットスクリューである。
【００５５】
１つの実施形態では、タレットノブ２１０は、タレットベース２２０に嵌合するようになった円形形状を有する。タレットノブ２１０は、タレットノブピン２３０を有する。１つの実施形態では、タレットノブピン２３０は、タレットノブ２１０の底部に位置している。１つの実施形態では、タレットピン２３０は、タレットノブ２１０の内周上に位置している。タレットノブ２１０の外側部分は、しるしまたはマーキングを有するのがよい。
【００５６】
図２に示されているように、タレットは、タレットノブ２１０とタレットベース２２０の間に位置するリング２４０を有する。１つの実施形態では、リング２４０は、タレットベース２２０の中央部分２２２上にスライドまたは嵌合する。リング２４０は、タレットベース２２０の中央部分２２２にきつく圧縮するのがよい。もう１つの実施形態では、リング２４０とタレットベースの中央部分２２２の間には間隙がある。
【００５７】
１つの実施形態では、リング２４０は、ゼロストップリングであるのがよい。１つの実施形態では、ゼロストップリングの周囲は、少なくとも８５ｍｍである。もう１つの実施形態では、ゼロストップリングの周囲は、少なくとも９０ｍｍである。さらにもう１つの実施形態では、ゼロストップリングの周囲は、少なくとも９０．４７ｍｍである。
【００５８】
もう１つの実施形態では、ゼロストップリングの周囲は、８０〜９５ｍｍ、または、８５〜９５ｍｍ、または、９０〜９５ｍｍからなる群から選択される。
【００５９】
１つの実施形態では、リング２４０は、頂部部分（図３参照）および底部部分２４２を備えたカムトラック２５０を有する。１つの実施形態では、リング２４０は、各側にカムトラックを有する。もう１つの実施形態では、カムトラック２５０は、同心状である。
【００６０】
もう１つの実施形態では、カムトラック２５０は、終端２６０を有する。１つの実施形態では、終端は、オフセットされている。もう１つの実施形態では、終端は、ノブの最大の回転を可能にするようにオフセットされている。
【００６１】
１つの実施形態では、トラックまたは溝の径は、１８、１９、２０、２１、２２、２３、２４、２５、２６、２７．２８、２９、３０、３１、３２、３３、３４、３５、または、３５ｍｍよりも大きいからなる群から選択される。
【００６２】
もう１つの実施形態では、トラックまたは溝の径は、少なくとも１８ｍｍ、または、少なくとも２０ｍｍ、または、少なくとも２３ｍｍ、または、少なくとも２５ｍｍからなる群から選択される。
【００６３】
さらにもう１つの実施形態では、トラックまたは溝の径は、１８〜３０ｍｍ、または、２０〜３０ｍｍ、２３〜３０ｍｍ、または、２５〜３０ｍｍからなる群から選択される。
【００６４】
図３は、タレットのもう１つの分解図である。タレットベース２２０は、タレットベースピン３１０を有する。１つの実施形態では、タレットベースピン３１０は、タレットベース２２０の頂部３４０に位置する。タレットベースピン３１０の一定の割合、５〜１０％、または、１０〜２０％、または、２０〜３０％、または、３０〜４０％、または、４０〜５０％、または、５０〜６０％、または、６０〜７０％、または、７０〜８０％、または、８０％よりも大きい等が、タレットベース３２０の上方に延びるのがよい。
【００６５】
リング２３０は、各側に終端２６０を備えた同心状カムトラック２５０を有する。トラックまたは溝３２０が、リング２４０の頂部側に位置する。タレットノブ２１０は、外側タレットキャップ３３０を有するのがよい。
【００６６】
図４は、タレットノブ２１０、ノブピン２３０、タレットベース２２０およびタレットベースピン３１０、並びに、ゼロストップリングとして機能するリング２４０を示すもう１つの分解図である。リング２４０は、頂部トラック３２０、および、底部トラック２４２を有する。
【００６７】
１つの実施形態では、ベースタレット２２０のベースピン３１０は、リング２４０の外側２４２上の同心状カムトラック２５０に乗り、タレットノブピン２３０は、リング２４０の上部側３２０上のカムトラック２５０に乗る。
【００６８】
１つの実施形態では、カムトラック２５０の終端２６０は、わずかにオフセットされており、それによって、タレットノブ２１０は、ゼロストップリング２４０を回転させることなく、ノブピン２３０が頂部トラックに乗っている間に、まる１回転移動することができる。
【００６９】
一旦、ノブピン２３０がストップリングカムトラック２５０の終端２６に達した後、タレットノブ２３０およびゼロストップリング２４０は、ゼロストップリング２４０の底部側上の同心状カムトラックに乗るベースピン３１０と共に一緒に回転するようになり、それによって、タレットの第２のほとんどまる回転が可能になる。
【００７０】
図５は、タレット２００の組立切取図である。タレットノブピン２３０は、ゼロストップリング２４０の頂部トラック３２０または頂部３２０内に乗る。タレットベースピン３１０は、ゼロストップリング２４０の底部トラック２４２または底部２４２内に乗る。終端２６により、第２のまる回転がほとんど達成され、それによって、タレット上でのほとんど２回転でのほとんど３０移動MOAが提供される。上記の設定は、タレットが、１回転当たり１５MOAしか有しないので、大きなデテントクリック感を可能にする。
【００７１】
上記の設計は、軽量で、コンパクトで、使用が簡単で、製造が簡単で、かつ、大変費用効率的である。
【００７２】
図６は、タレット２００の組立図である。タレットノブの外側は、しるしまたはマーキングを有する。１つの実施形態では、数が、タレットノブの外側に存在し、使用者に見える。１つの実施形態では、タレットノブの外側に、使用者に見える１４個の数が存在する。
【００７３】
もう１つの実施形態では、タレットノブの外側上の各数の間に４つのマーキングがある。１つの実施形態は、マークングは、ハッシュマークである。
【００７４】
図７は、終端２６０を示す、本願で記載されているタレットの分解図である。タレット２００は、リングの各側に同心状カムトラックを備えるゼロストップリング２４０を有する。リング２４０の各側上のカムトラックは、終端２６０を有する。図７では、終端は、わずかにオフセットされている。ゼロストップは、各側上にトラックまたは溝を有するときに、終端がわずかにオフセットされることで、最大の回転が可能にされる。
【００７５】
さらにもう１つの実施形態では、タレットは、(1)底部に位置するピンを備えたタレットノブと、頂部側上の溝および外部側上のピンを備えたゼロストップリングと、頂部上に溝またはトラックを備えたタレットベースと、を含む。ピンは、内周に沿ってまたは外周上に位置するのがよい。ピンは、永久的に取り付けられても、あるいは、取り外し可能でもよい。ピンは、単一部品でも、あるいは、多部品であってもよい。
【００７６】
図８は、１つの溝またはトラック８２０を備えたリングを有するタレット８００の切取図である。リングは、リングの底部にピン８３０を有する。タレットノブ８４０の底部は、ピン８５０を有する。ピン８５０は、永久的に取り付けられてもよく、あるいは、酉一氏可能であってもよい。タレットノブピン８５０は、リングの頂部側上の溝またはトラック８２０に載る。タレットベース８６０は、上部側上にトラック８７０を有する。リングの底部側上のピン８３０は、タレットベース８６０の頂部側上のトラック８７０に載る。
【００７７】
タレットノブの第１の回転時に、タレットノブ８４０の底部に結合されたピン８５０は、ゼロストップリングが静止したままである間に、ゼロストップリングの頂部の溝８２０を周回する。第２の回転時に、タレットノブ８４０の底部に結合されたピン８５０は、ゼロストップリングの頂部上の溝の終端に接触し、それによって、ゼロストップリングを回転させる。
【００７８】
第２の回転時に、ゼロストップリングの底部に結合されたピン８３０は、タレットベース８６０の溝８７０を周回する。第２の回転の終わりに、ゼロストップリングの底部に結合されたピン８３０は、タレットベース８６０の溝の終端に接触し、それによって、タレットのすべての回転を停止させる。
【００７９】
図９は、ピンのためのキャビティ９２０を備えたリング９１０の代表図である。キャビティ９２０は、リングのいずれの側に位置してもよい。リング９１０は、タレットノブ、あるいは、タレットベースのいずれかが、ピンを受容するための溝またはトラックを有するときに使用されることができる。
【００８０】
図１０は、キャビティ９２０内に挿入されるピン９３０を備えたリング９１０の図である。ピン９３０は、もう１つのリング、タレットベース、または、タレットノブのいずれか上に位置するトラックまたは溝に載ることができる。
【００８１】
さらにもう１つの実施形態では、本願で開示されているタレットは、(1)底部に溝を備えたタレットノブと、(2)頂部側上のピンおよび底部側上の溝を備えたゼロストップリングと、(3)ピンを備えたタレットベースと、を含む。
【００８２】
さらにもう１つの実施形態では、本願で開示されているタレットは、(1)底部に溝またはトラックを備えたタレットノブと、(2)頂部側上のピンおよび外部側上のピンを備えたゼロストップリングと、(3)頂部上の溝またはトラックを備えたタレットベースと、を含む。
【００８３】
１つの実施形態では、タレットノブの底部上の溝またはトラックは、タレットノブの内周上に位置している。もう１つの実施形態では、タレットベースの底部上の溝またはトラックは、タレットベースの内周上に位置している。
【００８４】
もう１つの実施形態では、タレットノブ上の溝またはトラックは、終端を有する。さらにもう１つの実施形態では、タレットベース上の溝またはトラックは、終端を有する。さらにもう１つの実施形態では、ゼロストップリング上の１つまたはそれ以上の溝またはトラックは、１つまたはそれ以上の終端を有する。
【００８５】
さらにもう１つの実施形態では、終端は、オフセットされている。さらにもう１つの実施形態では、終端は、タレットの最大の回転量を可能にするようにオフセットされている。
【００８６】
さらにもう１つの実施形態では、終端は、オフセットされていない。さらにもう１つの実施形態では、終端は、互いに整合している。
【００８７】
１つの実施形態では、タレットノブは、１つまたはそれ以上の溝またはトラックを有する。さらにもう１つの実施形態では、タレットベースは、１つまたはそれ以上の溝またはトラックを有する。
【００８８】
もう１つの実施形態では、2回転よりもさらに多くの回転を得るために、１つまたはそれ以上のゼロストップリングが使用されるのがよい。これは、より多くの回転／移動が代表的には望まれる、競技、戦術、法執行、または、軍事射撃のために有用であることができる。この実施形態では、ゼロストップリングは、一方の側に終端を備えた同心状カムトラック、および、他方の側に固定されたピンを有するであろう。第２のゼロストップリングは、第１のゼロストップリングの頂部上に着座し、底部ゼロストップリング上の特徴と干渉する対向組み合い特徴を有するのがよいであろう。同心状カムトラックの終端の幾何学的形状が正しく設計されている限り、タレットの追加の回転が、使用者のゼロ位置での確実なゼロストップを可能にしながらもなお、移動しきる前に達成されることができる。
【００８９】
１つの実施形態では、２以上のゼロストップリングを使用するときに、(a)頂部側上に溝またはトラックを備え、底部側上にピンを備えたゼロストップリング、または、(b)頂部側上にピンを備え、底部側上に溝またはトラックを備えたゼロストップリングのいずれかを使用することが有用であり得る。
【００９０】
本願で開示されているタレットおよびライフルスコープは、さらに以下の段落に記載されている。
【００９１】
1.  (a)ノブと、(b)頂部および／または底部に位置する１つまたはそれ以上のトラックを備えたリングと、(c)ベースと、を含み、少なくとも前記ノブまたは前記ベースが、前記リングの前記１つまたはそれ以上のトラック内に挿入されるピンを有する、装置。
【００９２】
2.  (a)ノブと、(b)頂部および／または底部に位置する１つまたは２つのトラックを備えたゼロストップリングと、(c)ベースと、を含み、少なくとも前記ノブまたは前記ベースが、前記リングの前記１つまたは２つのトラック内に挿入されるピンを有する、装置。
【００９３】
3.  (a)ノブと、(b)頂部および／または底部に位置する１つまたは２つのトラックを備えたリングと、(c)ベースと、を含み、少なくとも前記ノブまたは前記ベースが、前記１つまたはそれ以上のリングの前記１つまたは２つのトラック内に挿入されるピンを有し、さらに、前記リングは前記ベース上に載り、前記ノブおよびベースは互いに取り付けられている、装置。
【００９４】
4.  前記リングは、２つのトラックを有し、１つのトラックは、前記リングの頂部上に位置し、第２のトラックは、前記リングの底部上に位置する  段落1〜3のいずれか1に記載の装置。
【００９５】
5.  前記ノブは、該ノブの底部にピンを有する、段落1〜4のいずれか1に記載の装置。
【００９６】
6.  前記ノブピンは、該ノブの内周上に位置する、段落1〜5のいずれか1に記載の装置。
【００９７】
7.  前記ノブピンは、該ノブの外周上に位置する、段落1〜6のいずれか1に記載の装置。
【００９８】
8.  前記ベースは、頂部に位置するピンを有する、段落1〜7のいずれか1に記載の装置。
【００９９】
9.  前記ベースピンは、前記ノブの内周上に位置する、段落1〜8のいずれか1に記載の装置。
【０１００】
10.  前記ベースピンは、前記ノブの外周上に位置する、段落1〜9のいずれか1に記載の装置。
【０１０１】
11.  前記１つまたは２つのトラックは、カムトラックである、段落1〜10のいずれか1に記載の装置。
【０１０２】
12.  前記リング上の前記１つまたは２つのカムトラックは、終端を有する、段落1〜11のいずれか1に記載の装置。
【０１０３】
13.  前記リング上の前記１つまたは２つのカムトラックは、前記ノブの最大の回転を可能にするようにオフセットされている終端を有する、段落1〜12のいずれか1に記載の装置。
【０１０４】
14.  １つまたは２つのトラックを備えた第２のリングをさらに含み、前記１つまたは２つのトラックは、前記リングの頂部および／底部上に位置する、段落1〜13のいずれか1に記載の装置。
【０１０５】
15.  前記リングは、該リングの頂部側に１つのトラックまたは溝を有する、段落1〜14のいずれか1に記載の装置。
【０１０６】
16.  さらに、前記リングは、該リングの底部上に位置するピンを有する、段落1〜15のいずれか1に記載の装置。
【０１０７】
17.  さらに、前記ノブは、底部にピンを有する、段落1〜16のいずれか1に記載の装置。
【０１０８】
18.  さらに、前記ノブピンは、前記リングの頂部側上の前記トラックまたは溝内に載る、段落1〜17のいずれか1に記載の装置。
【０１０９】
19.  さらに、前記ベースは、頂部側上に溝またはトラックを有する、段落1〜18のいずれか1に記載の装置。
【０１１０】
20.  さらに、前記リングの底部側上に位置する前記リングピンは、前記ベースの頂部側上の前記溝またはトラック内に載る、段落1〜19のいずれか1に記載の装置。
【０１１１】
21.  前記リングは、該リングの底部側上に１つのトラックまたは溝を有する、段落1〜20のいずれか1に記載の装置。
【０１１２】
22.  前記リングは、該リングの頂部側上に位置するピンを有する、段落1〜21のいずれか1に記載の装置。
【０１１３】
23.  さらに、前記ノブは、底部に溝またはトラックを有する、段落1〜22のいずれか1に記載の装置。
【０１１４】
24.  さらに、前記トラックまたは溝の頂部側上位置する前記リングピンは、前記ノブの底部上の前記溝またはトラックに載る、段落1〜23のいずれか1に記載の装置。
【０１１５】
25.  さらに、前記ベースは、頂部側上にピンを有する、段落1〜24のいずれか1に記載の装置。
【０１１６】
26.  さらに、前記ベースの頂部側上に位置する前記ベースピンは、前記リングの底部上の前記溝またはトラック内に載る、段落1〜25のいずれか1に記載の装置。
【０１１７】
27.  前記装置は、タレットである、段落1〜26のいずれか1に記載の装置。
【０１１８】
28.  前記装置は、偏流タレットである、段落1〜27のいずれか1に記載の装置。
【０１１９】
29.  前記装置は、上昇タレットである、段落1〜28のいずれか1に記載の装置。
【０１２０】
30.  前記装置は、タレット組立体である、段落1〜29のいずれか1に記載の装置。
【０１２１】
31.  段落1〜30のいずれか1に記載の装置を含むライフルスコープ。
【０１２２】
32.  底部に結合されたピンを備えたノブと、
頂部に結合されたピンを備えたベースと、
各面上に終端を備えた同心状カムトラックを備えたゼロストップリングと、を含み、前記ベースピンは、前記ゼロストップリングの頂部側上の前記同心状カムトラックに載り、前記ノブピンは、前記ゼロストップリングの頂部側上の前記同心状カムトラックに載る、装置。
【０１２３】
33.  底部に結合されたピンを備えたノブと、
頂部に結合されたピンを備えたベースと、
頂部側上にトラックまたは溝、および、底部側上にピンを備えたリングと、を含み、前記ノブピンは、前記リングの頂部側上の前記トラックまたは溝に載り、前記リングの底部側上のピンは、前記ベースの頂部側上の前記トラックまたは溝に載る、装置。
【０１２４】
34.  前記リングは、ゼロストップリングである、段落31に記載の装置。
【０１２５】
35.  前記ベース上の前記トラックまたは溝は、同心状カムトラックである、段落31に記載の装置。
【０１２６】
36.  前記ベース上の前記トラックまたは溝は、終端を備えた同心状カムトラックである、段落31に記載の装置。
【０１２７】
37.  前記リングの頂部側上の前記トラックまたは溝は、同心状カムトラックである、段落31に記載の装置。
【０１２８】
38.  前記リングの頂部側上の前記トラックまたは溝は、終端を備えた同心状カムトラックである、段落31に記載の装置。
【０１２９】
39.  前記トラックまたは溝は、前記ベースの頂部の内周上に位置する、段落31に記載の装置。
【０１３０】
40.  底部側に結合されたトラックまたは溝を備えたノブと、
頂部側上に結合されたピンを備えたベースと、
頂部側上にピン、および、底部側上にトラックまたは溝を備えたリングと、を含み、前記リングピンは、前記ノブの頂部側上の前記トラックまたは溝に載り、前記ベースピンは、前記リングの底部側上の前記トラックまたは溝に載る、装置。
【０１３１】
41.  前記リングは、ゼロストップリングである、段落37に記載の装置。
【０１３２】
42.  前記ノブ上の前記トラックまたは溝は、同心状カムトラックである、段落37に記載の装置。
【０１３３】
43.  前記ノブ上の前記トラックまたは溝は、終端を備えた同心状カムトラックである、段落37に記載の装置。
【０１３４】
44.  前記リングの底部上の前記トラックまたは溝は、同心状カムトラックである、段落37に記載の装置。
【０１３５】
45.  前記リングの底部上の前記トラックまたは溝は、終端を備えた同心状カムトラックである、段落37に記載の装置。
【０１３６】
46.  前記トラックまたは溝は、前記ノブの底部の内周上に位置する、段落37に記載の装置。
【０１３７】
47.  底部側に結合されたピンを備えたノブと、ピンが結合されたベースと、各面に終端を備えた同心状カムトラックを備えたストップリングと、を含む装置。
【０１３８】
48.  前記ノブは、ほとんど２回のまる回転を行うことができる、段落1〜47のいずれか1に記載の装置。
【０１３９】
49.  前記ノブは、２回のまる回転を行うことができる、段落1〜48のいずれか1に記載の装置。
【０１４０】
50. ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、(a)ノブと、(b)１つまたは２つのカムトラックを備えたリングと、を含み、前記１つまたは２つのカムトラックは、前記リングの頂部および／または底部上に位置し、(c)ベースをさらに含み、前記ノブまたは前記ベースの少なくとも１つは、前記リングの前記１つまたは２つのトラック内に挿入されるピンを有する、ライフルスコープ。
【０１４１】
51. ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、底部側に結合されたピンを備えたノブと、頂部側にトラックまたは溝を備えたベースと、頂部側にトラックまたは溝、および、底部側上にピンを備えたリングと、を含み、前記ノブピンは、前記リングの頂部側上の前記トラックまたは溝に載り、前記リングの底部側上のピンは、前記ベースの頂部側上の前記トラックまたは溝に載る、ライフルスコープ。
【０１４２】
52.  ライフルスコープであって、該ライフルスコープは、スコープ本体と、光軸を構成し、前記スコープ本体に作動的に連結された可動な光学素子と、スクリューであって、該スクリューの回転に応じて前記光軸を調節するために前記光学素子に作動的に連結されたスクリューを有するタレットと、を含み、前記タレットは、底部側に結合されたトラックまたは溝を備えたノブと、頂部側にピンを備えたベースと、頂部側にピン、および、底部側上にトラックまたは溝を備えたリングと、を含み、前記リングピンは、前記ノブの頂部側上の前記トラックまたは溝に載り、前記ベースピンは、前記リングの底部側上の前記トラックまたは溝に載る、ライフルスコープ。
【０１４３】
53.  ライフルスコープであって、該ライフルスコープは、スコープ本体と、タレットと、を含み、前記タレットは、(a)ノブと、(b)１つまたは２つのトラックを備えたリングと、を含み、前記１つまたは２つのトラックは、前記リングの頂部および／または底部上に位置し、(c)ベースをさらに含み、少なくとも前記ノブまたはベースは、前記リングの前記１つまたは２つのトラック内に挿入されるピンを有する、ライフルスコープ。
【０１４４】
54.  ライフルスコープであって、該ライフルスコープは、コープ本体と、タレットと、を含み、前記タレットは、底部側に結合されたピンを備えたノブと、頂部側上にトラックまたは溝を備えたベースと、頂部側上にトラックまたは溝、および、底部側上にピンを備えたリングと、を含み、前記ノブピンは、前記リングの頂部側上の前記トラックまたは溝に載り、前記リングの底部側上のピンは、前記ベースの頂部側上の前記トラックまたは溝に載る、ライフルスコープ。
【０１４５】
55.  イフルスコープであって、該ライフルスコープは、コープ本体と、タレットと、を含み、前記タレットは、底部側に結合されたトラックまたは溝を備えたノブと、頂部側上にトラックまたは溝を備えたベースと、頂部側上にピン、および、底部側上にトラックまたは溝を備えたリングと、を含み、前記リングピンは、前記ノブの頂部側上の前記トラックまたは溝に載り、前記ベースのピンは、前記リングの底部側上の前記トラックまたは溝に載る、ライフルスコープ。
【０１４６】
例１：銃器
ゼロストップを所定距離、例えば、１００ヤード（９１．４ｍ）に設定するために、使用者は、第１に、ライフルスコープを自身のライフルに取り付けるであろう。次いで、使用者は、目標めがけて射撃するであろう。各射撃の間に、使用者は、打撃点が所望の位置に丁度くるまでタレットを調節するであろう。一旦打撃点が、所望の位置にきた後は、使用者は、外側タレットノブを取り外し、次いで、ゼロストップリングのすべてを、ベースピンがゼロストップ底部側同心状カムトラック上の終端に接触するまで、それらの完全時計廻り方向位置（タレットスクリューピッチが反対方向である場合、反時計廻り方向で有り得、このことは、時として他の国では望ましい）に回転させるであろう。
次いで、使用者は、タレットノブを直接面する「ゼロ」に置き換え、その後、ノブピンは、ゼロストップリングの頂部側上のカムトラックの「始め」に整合するようになる。この時点で、ゼロストップは、それ以上の時計廻り方向の回転（「下降方向」回転）を可能にせず、反時計廻り方向の回転だけを可能にし、ほとんどまる２回転の回転を可能にするようになる。長距離狩猟スコープのために、２４MOA移動のものであれば、ほとんどの状況のためには十分であろうし、このゼロストップは、大雑把に29MOAを可能にするであろう。このゼロストップが、さらにより多くの移動を必要とするより長距離の適用例で使用しようとする場合には、第２のゼロストップリング、あるいは、それ以上のストップリングを設計に付加して追加の回転を可能にすることができるであろう。
【０１４７】
例２
本願で開示されている装置の１つの形態では、タレットノブの第１の回転時に、ノブのピンは、ゼロストップリングの頂部側上の同心状カムトラック内に載るであろう。ゼロストップリングは、第１の回転時に静止したままである。第１の回転の終了時に、ノブのピンは、カムトラックの終端に接触し、その結果、第２の回転が始まるときに、ノブとゼロストップは一緒に回転する。第２の回転時に、ベースのピンは、第２の回転の終了近くで、ベースのピンが底部側のカムトラックの終端に接触し、かくして、タレットのすべての運動を終了させるまで、ゼロストップリングの底部側上の同心状カムトラックを周回する。方向を逆にすることにより、タレットは、元の位置、または、「ゼロストップ」に戻ることが可能になる。
【０１４８】
例３
本願で開示されている１つの形態では、第１の回転時に、ゼロストップリングとノブのピンは、ベースのピンが、終端に接触するまで、底部の同心状カムトラック内を辿るベースのピンと共に一緒に回転する。この時点で、第２の回転が始まり、ノブのピンは、第２の回転の終了近くで終端に接触するまで、ゼロストップリングの頂部側上の同心状カムトラックを周回するであろう。
【０１４９】
本願で、特定の実施形態を示し、説明してきたけれども、当業者は、同じ目的を達成するように計算される任意の構成が、示された特定の実施形態に代替することができることを理解するであろう。本願は、記載された本発明の原理に従い作動する任意の適合および変形を包含することを意図している。したがって、本発明は、特許請求の範囲およびその均等物によってのみ制限されることを意図している。米国特許第9,435,609号、第8,919,026号、および、第8,166,696号等の本願で引用されている特許、引用文献、および、刊行物の開示は、出典を明示することによってそれらの開示内容全体が本願の一部とされる。
【符号の説明】
【０１５０】
１０      ライフルスコープ
１２      上昇タレット
４８      偏流タレット
２００    タレット
２１０    タレットノブ
２２０    タレットベース
２３０    ノブピン
２４０    リング
２４２    底部トラック
２５０    カムトラック
２６０    終端
３１０    ベースピン
３２０    頂部トラック
８００    タレット
８２０    トラック
８３０    ピン
８４０    タレットノブ
８５０    ピン
８６０    タレットベース
８７０    トラック
９１０    リング
９２０    キャビティ
９３０    ピン
【図１Ａ】
2019508659.tif 000003
【図１Ｂ】
2019508659.tif 000004
【図２】
2019508659.tif 000005
【図３】
2019508659.tif 000006
【図４】
2019508659.tif 000007
【図５】
2019508659.tif 000008
【図６】
2019508659.tif 000009
【図７】
2019508659.tif 000010
【図８】
2019508659.tif 000011
【図９】
2019508659.tif 000012
【図１０】
2019508659.tif 000013
【国際調査報告】
2019508659.tif 000014
2019508659.tif 000015